(57)【特許請求の範囲】
【請求項１】
吸放湿材料により構成された吸放湿タイルと、
前記吸放湿タイルの裏面に結合され、吸放湿タイルの少なくとも一辺より外方に張り出した釘止め、ビス止め可能な取付代を有している裏面板と、
を有していることを特徴とする天井用吸放湿建材。
【請求項２】
吸放湿タイルの平行する二辺が互いに補形をなすさねはぎ形状になっていることを特徴とする請求項１記載の天井用吸放湿建材。
【請求項３】
前記取付代が前記吸放湿タイルの平行する二辺に沿って設けられ、その二辺の取付代が互いに補形をなすさねはぎ形状になっていることを特徴とする請求項１記載の天井用吸放湿建材。
【請求項４】
天井用吸放湿建材を天井下地材に取り付ける取付構造において、
前記天井用吸放湿建材はタイル状をなし、天井下地材に前記天井用吸放湿建材を保持するレールが前記天井用吸放湿建材の幅寸法間隔で固定され、隣接するレール間に前記天井用吸放湿建材が差し込まれ、前記レールにより天井用吸放湿建材が天井下地材に対して固定されていることを特徴とする天井用吸放湿建材の取付構造。
【発明の詳細な説明】
【０００１】
【発明の属する技術分野】
この発明は、戸建て住宅等の室内空間の調湿のために用いられる天井用吸放湿建材および天井用吸放湿建材の取付構造に関するものである。
【０００２】
【従来の技術】
住宅内の健康環境や結霧防止のため、室内空間の調湿を目的とした住宅内装材として、吸放湿性能に優れた建材の開発や利用が考えられている。壁面施工を前提とした吸放湿建材には、特開平１０−２６６３６６号公報に示されているような、セセラミックス系の化粧タイルがある。
【０００３】
一方、吸放湿建材を天井に施工できれば、家具等の障害物の制約やドア窓などの施工面積の限定がなく、壁に比べて表面性能への要求が少なく、対流による水分移動により調湿効果が得やすいという利点がある。
現状で、天井に吸放湿建材を施工する方法としては、石膏ボードなどの天井下地材と置き換え可能な吸放湿ボードを使用したり、天井仕上げ材として吸放湿性のあるクロスを使用することが考えられる。
【０００４】
【発明が解決しようとする課題】
石膏ボードなどの天井下地材と置き換え可能な吸放湿ボードを使用した場合には、仕上げクロス、糊の含浸により、透湿抵抗が増大し、吸放湿ボード本来の吸放湿性能が発揮できない。
吸放湿性クロスでは、吸放湿材の厚みが足りなく、吸湿容量が不足し、長時間の吸放湿ができない。
【０００５】
また、壁面施工を前提としたセラミックス系の化粧タイルを天井に施工することが考えられるが、セラミックのため、釘、ビス、ステープルが使用できず、下地材に接着剤のみで貼りつける施工法になる。天井施工では、接着剤が乾くまで化粧タイルを保持する必要があるため、実際には困難性が高く、接着剤保持力が低下すると、タイル落下の危険がある。また、室内側の調湿性能確保と建物内部への湿度移動防止のため、吸放湿材裏面に防湿層を形成する必要がある。
【０００６】
この発明は、上述の如き問題点を解消するためになされたもので、吸放湿性に優れたセラミックス系の吸放湿建材であって、天井施工性に優れ、建物内部への湿度移動防止機能を付与できる天井用吸放湿建材および天井用吸放湿建材の取付構造を提供することを目的としている。
【０００７】
【課題を解決するための手段】
上述の目的を達成するために、請求項１記載の発明による天井用吸放湿建材は、吸放湿材料により構成された吸放湿タイルと、前記吸放湿タイルの裏面に結合され、吸放湿タイルの少なくとも一辺より外方に張り出した釘止め、ビス止め可能な取付代を有している裏面板とを有しているものである。
この構成によれば、裏面板の取付代を天井下地材に釘止め、ビス止めすることができ、この釘止め、ビス止めにより吸放湿タイルを接着に依らずに天井面に設置できる。
【０００８】
請求項２記載の発明による天井用吸放湿建材は、吸放湿タイルの平行する二辺が互いに補形をなすさねはぎ形状になっているものである。
この構成によれば、互いに隣接する天井用吸放湿建材の吸放湿タイル同士がさねはぎ係合する。
【０００９】
請求項３記載の発明による天井用吸放湿建材は、前記取付代が前記吸放湿タイルの平行する二辺に沿って設けられ、その二辺の取付代が互いに補形をなすさねはぎ形状になっているものである。
この構成によれば、互いに隣接する天井用吸放湿建材の裏面板同士がさねはぎ係合する。
【００１１】
請求項４記載の発明による天井用吸放湿建材の取付構造は、天井用吸放湿建材を天井下地材に取り付ける取付構造において、前記天井用吸放湿建材はタイル状をなし、天井下地材に前記天井用吸放湿建材を保持するレールが前記天井用吸放湿建材の幅寸法間隔で固定され、隣接するレール間に前記天井用吸放湿建材が差し込まれ、前記レールにより天井用吸放湿建材が天井下地材に対して固定されているものである。この構成によれば、隣接するレール間に天井用吸放湿建材を差し込むことにより、天井用吸放湿建材が天井下地材に対して固定される。
【００１２】
【発明の実施の形態】
以下に添付の図を参照してこの発明の実施の形態を詳細に説明する。
（実施の形態１）
図１はこの発明による天井用吸放湿建材の実施の形態１を示している。天井用吸放湿建材１０は、セラミックス系の吸放湿材料により構成された吸放湿タイル１１と、吸放湿タイル１１の裏面に結合された裏面板１２とにより構成されている。
【００１３】
吸放湿タイル１１で使用する高性能の吸放湿材料としては、珪藻土、シリカ、ゼオライトなどがあり、吸放湿タイル１１は、これら吸放湿材料単体、若しくはバインダを混練してタイル状に成型（焼成）したものである。吸放湿タイル１１の厚みは、吸放湿容量を得るため、５ｍｍ以上であるのが望ましく、大きさは、天井施工性や端材を出にくくするため、３００ｍｍ角以上、１０００ｍｍ角以下が望ましい。なお、吸放湿タイル１１の表面は化粧材仕様として室内天井面に露出できるようにする。
吸放湿タイル１１の平行する二辺（左右二辺）には、互いに補形をなすさねはぎ部１１ａ、１１ｂが一体成型されている。
【００１４】
裏面板１２は吸放湿タイル１１と同じ大きさのものであり、吸放湿タイル１１に対して図１で見て左右方向にずらして設けられていること（オフセット配置）により、吸放湿タイル１１の一辺より外方に張り出した釘止め、ビス止め可能な取付代１３を形成している。裏面板１２は、アルミニウム板等、釘止め、ビス止めが可能で、しかも透湿抵抗の高い材料により構成することができる。
アルミニウム板等による裏面板１２の吸放湿タイル１１に対する結合は、接着剤による貼り付け以外に、ルーバ加工により裏面板１２に係止爪１４を形成し、裏面板１２と共に吸放湿タイル１１をインサート成型することによる結合法を採用できる。
【００１５】
図２は天井用吸放湿建材１０の天井施工状態を示している。天井用吸放湿建材１０の天井下地材１００に対する固定は、裏面板１２を天井下地材１００側にして取付代１３に釘１０１を打ち、取付代１３を天井下地材１００に釘止めすることにより行われる。これにより、吸放湿タイル１１を接着に依らずに天井面に設置でき、吸放湿タイル１１を天井に施工しても剥離落下の危険がない。
なお、天井用吸放湿建材１０の取付代１３による固定は、釘以外に、釘と等価のステープル、ビス等により同等に行うこともできる。
【００１６】
天井用吸放湿建材１０は、図２に示されているように、複数個の天井用吸放湿建材１０を繋ぎ合わせにより天井面を構成するから、天井施工状態では、互いに隣接する天井用吸放湿建材１０の吸放湿タイル１１のさねはぎ部１１ａ、１１ｂが互いにさねはぎ係合し、吸放湿タイル１１が連なることによる。これにより、天井用吸放湿建材１０が一方の側の取付代１３の釘止めだけで天井下地材１００に止められていても、天井用吸放湿建材１０は、両側を天井下地材１００より保持され、垂れ下がり等を生じることがない。
また、裏面板１２が、アルミニウム板等、透湿抵抗の高い材料で構成されていることにより、施工と同時に防湿層が形成され、天井内部へ湿気の侵入を防止できる。
【００１７】
（実施の形態２）
図３、図４はこの発明による天井用吸放湿建材の実施の形態２を示している。天井用吸放湿建材２０は、セラミックス系の吸放湿材料により構成された吸放湿タイル２１と、吸放湿タイル２１の裏面に結合された裏面板２２とにより構成されている。
【００１８】
吸放湿タイル２１で使用する高性能の吸放湿材料としては、実施の形態１のものと同様に、珪藻土、シリカ、ゼオライトなどがあり、吸放湿タイル２１も、これら吸放湿材料単体、若しくはバインダを混練してタイル状に成型（焼成）したものである。吸放湿タイル２１の厚みは、吸放湿容量を得るため、５ｍｍ以上であるのが望ましく、大きさは、天井施工性や端材を出にくくするため、３００ｍｍ角以上、１０００ｍｍ角以下が望ましい。なお、吸放湿タイル２１の表面も化粧材仕様として室内天井面に露出できるようにする。
【００１９】
裏面板２２は、アルミニウム板等、釘止め、ビス止めが可能で、しかも透湿抵抗の高い材料により構成されており、吸放湿タイル２１の平行する二辺（左右二辺）において互い違いに外方に張り出し、吸放湿タイル２１の両側に釘止め、ビス止め可能な取付代２３、２４を形成している。その二辺の取付代２３、２４は相欠状に互いに補形をなすさねはぎ形状になっている。
【００２０】
図５、図６は天井用吸放湿建材２０の天井施工状態を示している。天井用吸放湿建材２０の天井下地材１００に対する固定は、裏面板２２を天井下地材１００側にして両側の取付代２３に釘１０１を打ち、取付代２３を天井下地材１００に釘止めすることにより行われる。これにより、吸放湿タイ２１を接着に依らずに天井面に設置でき、吸放湿タイル２１を天井に施工しても剥離落下の危険がない。
なお、天井用吸放湿建材２０の取付代２３による固定は、釘以外に、釘と等価のステープル、ビス等により同等に行うこともできる。
【００２１】
天井用吸放湿建材２０は、図５、図６に示されているように、複数個の天井用吸放湿建材２０を繋ぎ合わせにより天井面を構成するから、天井施工状態では、互いに隣接する天井用吸放湿建材１０の裏面板２２は互いにさねはぎ係合する。これにより、取付代２４は隣接する天井用吸放湿建材１０の取付代２３の側の相欠によって吸放湿タイル２１と天井下地材１００との間に生じる裏面板２２の板厚相当の間隙に差し込まれ、天井用吸放湿建材２０が一方の側の取付代２３の釘止めだけで天井下地材１００に止められていても、天井用吸放湿建材２０は、両側を天井下地材１００より保持され、垂れ下がり等を生じることがない。
また、この場合も、裏面板２２が、アルミニウム板等、透湿抵抗の高い材料で構成されていることにより、施工と同時に防湿層が形成され、天井内部へ湿気の侵入を防止できる。
【００２２】
（参考例１）図７、図８は参考例１の天井用吸放湿建材を示している。天井用吸放湿建材３０は、セラミックス系の吸放湿材料により構成され、吸放湿タイルをなしている。天井用吸放湿建材３０で使用する高性能の吸放湿材料としては、実施の形態１のものと同様に、珪藻土、シリカ、ゼオライトなどがあり、天井用吸放湿建材３０は、これら吸放湿材料単体、若しくはバインダを混練してタイル状に成型（焼成）したものである。天井用吸放湿建材３０の厚みは、吸放湿容量を得るため、５ｍｍ以上であるのが望ましく、大きさは、天井施工性や端材を出にくくするため、３００ｍｍ角以上、１０００ｍｍ角以下が望ましい。なお、天井用吸放湿建材３０の表面は化粧材仕様として室内天井面に露出できるようにする。
【００２３】
四角形の天井用吸放湿建材３０の４隅には、ビス止め用のざぐり付きのビス通し貫通孔３１が、天井用吸放湿建材３０の成型段階で、貫通成型されている。
上述のような天井用吸放湿建材３０の天井下地材１００に対する取り付けは、各ビス通し貫通孔３１にビス（木ねじ）１０２を通し、ビス１０２を天井下地材１００にねじ止めすることにより行われる。これにより、セラミックス系の天井用吸放湿建材３０を接着に依らずに天井面に設置でき、セラミックス系の天井用吸放湿建材３０を天井に施工しても剥離落下の危険がない。なお、天井面に露呈するビス頭部は必要に応じてパテ等により目立たなくすることができる。
【００２４】
（実施の形態３）図１０、図１１はこの発明による天井用吸放湿建材の取付構造の実施の形態３を示している。これらの図において、符合４０は天井用吸放湿建材を示している。天井用吸放湿建材４０は、セラミックス系の吸放湿材料により構成され、吸放湿タイルをなしている。
【００２５】
天井用吸放湿建材４０で使用する高性能の吸放湿材料としては、実施の形態１のものと同様に、珪藻土、シリカ、ゼオライトなどがあり、天井用吸放湿建材４０は、これら吸放湿材料単体、若しくはバインダを混練してタイル状に成型（焼成）したものである。天井用吸放湿建材４０の厚みは、吸放湿容量を得るため、５ｍｍ以上であるが望ましく、大きさは、天井施工性や端材を出にくくするため、３００ｍｍ角以上、１０００ｍｍ角以下が望ましい。なお、天井用吸放湿建材３０の表面は化粧材仕様として室内天井面に露出できるようにする。
【００２６】
天井下地材１００には天井用吸放湿建材保持用のレール１１０が天井用吸放湿建材４０の幅寸法間隔で釘１０３等により固定されている。レール１１０は、Ｉ形レールであり、両側に互いに隣接する天井用吸放湿建材４０を差し込まれるようになっている。
天井用吸放湿建材４０は、隣接するレール１１０間に差し込まれ、レール１１０により両持ち状態で、天井下地材１００に対して固定される。これにより、セラミックス系の天井用吸放湿建材４０を接着に依らずに天井面に設置でき、セラミックス系の天井用吸放湿建材４０を天井に施工しても剥離落下の危険がない。
【００２７】
【発明の効果】
以上の説明から理解される如く、請求項１記載の発明による天井用吸放湿建材によれば、吸放湿材料により構成された吸放湿タイルと、前記吸放湿タイルの裏面に結合され、吸放湿タイルの少なくとも一辺より外方に張り出した釘止め、ビス止め可能な取付代を有している裏面板とを有している構成としてので、裏面板の取付代を天井下地材に釘止め、ビス止めすることができ、この釘止め、ビス止めにより吸放湿タイルを接着に依らずに天井面に設置できる。これにより、優れた天井施工性をもって施工でき、セラミックス系の天井用吸放湿建材を天井に施工しても剥離落下の危険がない。また、裏面板を防湿材料により構成することで、天井内部への湿度移動防止機能を容易に付与できる。
【００２８】
請求項２記載の発明による天井用吸放湿建材によれば、吸放湿タイルの平行する二辺が互いに補形をなすさねはぎ形状になっている構成としたので、互いに隣接する天井用吸放湿建材の吸放湿タイル同士がさねはぎ係合し、天井用吸放湿建材が一方の側の取付代の釘止めだけで天井下地材に止められていても、天井用吸放湿建材は、両側を天井下地材より保持され、垂れ下がり等を生じることがない。
【００２９】
請求項３記載の発明による天井用吸放湿建材によれば、前記取付代が前記吸放湿タイルの平行する二辺に沿って設けられ、その二辺の取付代が互いに補形をなすさねはぎ形状になっている構成としたので、互いに隣接する天井用吸放湿建材の裏面板同士がさねはぎ係合し、天井用吸放湿建材が一方の側の取付代の釘止めだけで天井下地材に止められていても、天井用吸放湿建材は、両側を天井下地材より保持され、垂れ下がり等を生じることがない。
する。
【００３１】
請求項４記載の発明による天井用吸放湿建材の取付構造によれば、天井用吸放湿建材を天井下地材に取り付ける取付構造において、前記天井用吸放湿建材はタイル状をなし、天井下地材に前記天井用吸放湿建材を保持するレールが前記天井用吸放湿建材の幅寸法間隔で固定され、隣接するレール間に前記天井用吸放湿建材が差し込まれ、前記レールにより天井用吸放湿建材が天井下地材に対して固定されている構成としたので、隣接するレール間に天井用吸放湿建材を差し込むことにより、セラミックス系の天井用吸放湿建材を接着に依らずに天井面に設置でき、セラミックス系の天井用吸放湿建材を天井に施工しても剥離落下の危険がない。
【図面の簡単な説明】
【図１】  この発明による天井用吸放湿建材の実施の形態１を示す縦断面図である。
【図２】  実施の形態１による天井用吸放湿建材の天井施工状態を示す縦断面図である。
【図３】  この発明による天井用吸放湿建材の実施の形態２を示す縦断面図である。
【図４】  図３のＡ矢視図である。
【図５】  実施の形態２による天井用吸放湿建材の天井施工状態を示す縦断面図である。
【図６】  実施の形態２による天井用吸放湿建材の天井施工状態を示す天井面図である。
【図７】  この発明による天井用吸放湿建材の参考例１を示す縦断面図である。
【図８】  図７のＡ矢視図である。
【図９】  参考例１による天井用吸放湿建材の天井施工状態を示す縦断面図である。
【図１０】  この発明による天井用吸放湿建材の取付構造の一つの実施の形態を示す縦断面図である。
【図１１】  この発明による天井用吸放湿建材の取付構造の一つの実施の形態を示す天井面図である。
【符号の説明】
１０  天井用吸放湿建材
１１  吸放湿タイル
１１ａ、１１ｂ  さねはぎ部
１２  裏面板
１３  取付代
２０  天井用吸放湿建材
２１  吸放湿タイル
２２  裏面板
２３、２４  取付代
４０  天井用吸放湿建材
１００  天井下地材
１０１  釘
１０２  ビス
１０３  釘
１１０  レール
【図１】
0004256988.tif 000002
【図２】
0004256988.tif 000003
【図３】
0004256988.tif 000004
【図４】
0004256988.tif 000005
【図５】
0004256988.tif 000006
【図６】
0004256988.tif 000007
【図７】
0004256988.tif 000008
【図８】
0004256988.tif 000009
【図９】
0004256988.tif 000010
【図１０】
0004256988.tif 000011
【図１１】
0004256988.tif 000012